(57)【要約】【課題】ユーザに対して確実かつ容易に広告情報を行き渡らせることができ、かつ、ユーザが手軽に広告情報を入手できるようにする。【解決手段】外部から配達物が投入される投入口２０Ａを有し、投入口２０Ａに投入された配達物から広告情報を読み取り、読み取った広告情報を記憶するとともに、記憶した広告情報を表示するための広告表示情報を他装置へ送信する広告読取装置２を備え、この広告読取装置２から送信された広告表示情報を携帯電話機４１、テレビ受像機４２またはコンピュータ４３により受信して、この広告表示情報に基づいて広告情報を表示する。【選択図】図１
2008309819.tif 000002
【特許請求の範囲】
【請求項１】
外部から配達物が投入される投入口を有し、
前記投入口に投入された配達物に、広告情報を無線送信するタグが付着している場合に、このタグから送信される広告情報を受信して取得する広告取得手段と、
前記広告取得手段により取得された広告情報を記憶する記憶手段と、
前記記憶手段に記憶された広告情報を表示するための広告表示情報を他装置へ送信する広告送信手段と、を備えたこと、
を特徴とする広告情報取得装置。
【請求項２】
前記投入口への前記配達物の投入を検知する投入検知手段を備え、
前記広告取得手段は、前記投入検知手段により前記配達物の投入が検知された場合に、前記配達物に付着しているタグに向けて無線信号を送信し、この無線信号に応答して前記タグから送信される無線信号を受信すること、
を特徴とする請求項１記載の広告情報取得装置。
【請求項３】
前記広告送信手段は、前記記憶手段に新たな広告情報が記憶された場合に、広告情報の更新を示す情報を前記他装置へ送信し、この情報に応じて前記他装置から広告情報が要求された場合に、この要求に応じて広告表示情報を送信すること、
を特徴とする請求項１または２に記載の広告情報取得装置。
【請求項４】
前記広告取得手段により取得された広告情報の内容に係る副情報を生成する副情報生成手段をさらに備え、
前記記憶手段は、前記副情報生成手段により生成された副情報を、前記広告情報に対応づけて記憶すること、
を特徴とする請求項１から３のいずれかに記載の広告情報取得装置。
【請求項５】
前記投入口は、戸別配達される新聞または郵便物を含む前記配達物が投入される新聞受けまたは郵便受けであること、
を特徴とする請求項１から４のいずれかに記載の広告情報取得装置。
【請求項６】
外部から配達物が投入される投入口を有し、前記投入口に投入された配達物に広告情報を無線送信するタグが付着している場合に、このタグから送信される広告情報を受信して取得する広告取得手段と、前記広告取得手段により取得された広告情報を記憶する記憶手段と、前記記憶手段に記憶された広告情報を表示するための広告表示情報を他装置へ送信する広告送信手段と、を備えた広告情報取得装置と、
前記広告情報取得装置から送信された広告表示情報を受信して、この広告表示情報に基づいて広告情報を表示する表示装置と、
を備えたことを特徴とする広告情報管理システム。
【発明の詳細な説明】
【技術分野】
【０００１】
本発明は、広告情報を取得する広告情報取得装置、および、この広告情報取得装置を備えた広告情報管理システムに関する。
【背景技術】
【０００２】
従来、紙等の媒体を用いることなく広告を行う一つの手法として、情報を記録したタグを用いる手法が知られている（例えば、特許文献１参照）。特許文献１に記載された手法では、インターネットから情報を取得できるインターネット端末に、タグに記録された情報を読み取るタグリーダを接続して、このタグリーダによりタグから読み取ったＵＲＬをもとに、インターネットにアクセスして広告情報を得る。
【特許文献１】特開２００１−２７３２２６号公報
【発明の開示】
【発明が解決しようとする課題】
【０００３】
ところで、インターネットを介して広告情報を提供する手法では、極めて多様な情報を提供できるが、その一方で、インターネットを介して指定されたサーバにアクセスしなければならず、広告の提供を受けるユーザが自発的に行動しなければならない。また、広告を受信するためにはタグを入手しなければならない。このように、特許文献１に記載された手法等により広告を広く提供するためには、ユーザ自身による行動が必要になるため、ユーザの強い興味を喚起したり、インセンティブを提供したりする必要があるという問題があった。
【０００４】
そこで、本発明は、ユーザに対して確実かつ容易に広告情報を行き渡らせることができ、かつ、ユーザが手軽に広告情報を入手できるようにすることを目的とする。
【課題を解決するための手段】
【０００５】
上記課題を解決するため、本発明は、外部から配達物が投入される投入口を有し、前記投入口に投入された配達物に、広告情報を無線送信するタグが付着している場合に、このタグから送信される広告情報を受信して取得する広告取得手段と、前記広告取得手段により取得された広告情報を記憶する記憶手段と、前記記憶手段に記憶された広告情報を表示するための広告表示情報を他装置へ送信する広告送信手段と、を備えたことを特徴とする広告情報取得装置を提供する。
この構成によれば、配達物が外部から投入された場合に、この配達物に添付されたタグから無線送信される広告情報を受信して記憶し、この広告情報を表示するための広告表示情報を他装置へ送信するので、この他装置を利用するユーザは、配達物に添付されたタグの広告情報を速やかに表示させ、閲覧できる。また、広告情報を記憶したタグを配達物に添付して配達するだけで、ユーザが容易に閲覧可能な状態で広告情報を配信することができるので、広範囲のユーザに対して容易に、確実に広告情報を届けることができる。
ここで、配達物としては、新聞や雑誌等の定期または不定期刊行物、郵便物、宅配便など特定の宛先への配達物、ポスティングで投函される広告など広汎に、或いは無差別に配達されるものを含む。
【０００６】
上記構成において、前記投入口への前記配達物の投入を検知する投入検知手段を備え、前記広告取得手段は、前記投入検知手段により前記配達物の投入が検知された場合に、前記配達物に付着しているタグに向けて無線信号を送信し、この無線信号に応答して前記タグから送信される無線信号を受信する構成としてもよい。
この場合、投入口に配達物が投入されたことを検知して、配達物に付着しているタグへ無線信号を送信して読み取りを試行するので、タグからの広告情報の読み取りに影響を与えることなく、配達物の投入時以外は無線信号の送信を止めることができる。そして、例えばパッシブ型のＲＦＩＤタグを使用する場合など、無線信号を送信することで情報を読み取る場合に、必要な場合にのみ無線信号を送信して、消費電力量を抑制できる。
【０００７】
また、上記構成において、前記広告送信手段は、前記記憶手段に新たな広告情報が記憶された場合に、広告情報の更新を示す情報を前記他装置へ送信し、この情報に応じて前記他装置から広告情報が要求された場合に、この要求に応じて広告表示情報を送信する構成としてもよい。
この場合、広告情報取得装置から他装置へ広告表示情報を送信する際に、まず広告情報取得装置から他装置へ広告情報の更新を示す情報を送信し、この情報に応じて広告情報が要求された場合に広告表示情報を送信するので、ユーザが望む広告についてのみ広告表示情報を送信することで、処理の効率向上を図ることができる。これにより、例えば多数の他装置へ広告表示情報を送信する場合には、処理の効率化により大幅な負荷低減と高速化を実現できる。
【０００８】
上記構成において、前記広告取得手段により取得された広告情報の内容に係る副情報を生成する副情報生成手段をさらに備え、前記記憶手段は、前記副情報生成手段により生成された副情報を、前記広告情報に対応づけて記憶する構成としてもよい。
この場合、記憶手段において広告情報に副情報を対応づけて記憶することで、この副情報をもとに広告情報を分類したり、検索・抽出したりすることが可能となる。このため、取得済みの広告情報の管理が容易になるという利点がある。また、広告情報を閲覧する前に副情報によって広告情報の内容を知り得るので、例えば、広告情報取得装置から他装置へ広告表示情報を送信する前に副情報を送信すれば、この副情報を見てユーザが広告表示情報の送信を要求するか否かを判断できる。この場合、ユーザが広告情報に興味を持たない場合は広告表示情報の送信を要求しないので、広告表示情報の送信回数を抑えることができ、処理の効率化により大幅な負荷低減と高速化を実現できる。
【０００９】
また、上記構成において、前記投入口は、戸別配達される新聞または郵便物を含む前記配達物が投入される新聞受けまたは郵便受けであってもよい。
この場合、新聞や郵便物を含む配達物が投入される新聞受けまたは郵便受けにおいて、タグが付着した配達物から広告情報が読み取られて他装置に配信されるので、広告情報をユーザに向けて配信する側は配達物にタグを付着させて配達させればよく、この配達物が新聞受けまたは郵便受けに投入されれば、ユーザが何ら意識することなく広告情報が他装置により表示される。このため、ユーザに対して容易に広告情報を配信することができ、ユーザは、広告情報を極めて容易に閲覧できる。
【００１０】
また、上記課題を解決するため、本発明は、外部から配達物が投入される投入口を有し、前記投入口に投入された配達物に広告情報を無線送信するタグが付着している場合に、このタグから送信される広告情報を受信して取得する広告取得手段と、前記広告取得手段により取得された広告情報を記憶する記憶手段と、前記記憶手段に記憶された広告情報を表示するための広告表示情報を他装置へ送信する広告送信手段と、を備えた広告情報取得装置と、前記広告情報取得装置から送信された広告表示情報を受信して、この広告表示情報に基づいて広告情報を表示する表示装置と、を備えたことを特徴とする広告情報管理システムを提供する。
この構成によれば、配達物が外部から投入された場合に、この配達物に添付されたタグから無線送信される広告情報を受信して記憶し、この広告情報を表示するための広告表示情報を表示装置へ送信し、この広告表示情報に基づいて表示装置が広告情報を表示するので、ユーザは、配達物に添付されたタグの広告情報を表示装置に速やかに表示させ、閲覧できる。また、広告情報を記憶したタグを配達物に添付して配達するだけで、ユーザが容易に閲覧可能な状態で広告情報を配信することができるので、広範囲のユーザに対して容易に、確実に広告情報を届けることができる。
ここで、
【発明の効果】
【００１１】
本発明によれば、広告情報を記憶したタグを配達物に添付して配達するだけで、ユーザが容易に閲覧可能な状態で広告情報を配信することができ、ユーザは、配達物に添付されたタグの広告情報を、容易に、かつ速やかに閲覧できる。
【発明を実施するための最良の形態】
【００１２】
以下、図面を参照して本発明の実施形態について説明する。
図１は、本発明を適用した実施形態に係る広告配信システム１の概略構成を示す図である。この実施形態に係る広告配信システム１では、広告情報が付された配達物として新聞１０を用いる場合を例に挙げて説明する。
新聞１０は、印刷所（図示略）から新聞販売店１Ａに運ばれ、新聞販売店１Ａで仕分けられてから、その新聞販売店１Ａが担当する地域内の購読者宅１Ｃに配達される。
新聞１０には、新聞販売店１ＡにおいてＲＦＩＤ（Radio Frequency Identification）タグ１１が貼付される。ＲＦＩＤタグ１１は、13.56MHz帯、900MHz帯或いは2.45GHz帯の無線信号を送受信する集積回路からなるＲＦＩＤチップ（図示略）を、紙製または合成樹脂製のシートに挟み込んで封入したラベル形状として構成され、一面には粘着材が塗布され、この粘着材は剥離シートで覆われている。ＲＦＩＤタグ１１には、ＲＦＩＤチップに接続されるアンテナ（図示略）をＲＦＩＤチップとともに封入してもよい。
ＲＦＩＤタグ１１に封入されたＲＦＩＤチップは、例えば数百バイト〜数十キロバイトのデータを記憶することが可能である。このＲＦＩＤチップは、外部から送信される上記周波数帯の無線信号を受信し、この無線信号により誘起される起電力を電源として動作して、記憶しているデータを外部へ無線送信する。
未使用のＲＦＩＤタグ１１は、ロール紙状の剥離シートに付着した状態で、多数のＲＦＩＤタグ１１が連接されたロール紙状となっており、この状態でプリンタ５２にセットされる。
【００１３】
新聞販売店１Ａにおいては、オペレータが操作する新聞店端末５１に接続されたプリンタ５２によって、ＲＦＩＤタグ１１の表面に画像等が印刷される。プリンタ５２は、ロール状の紙または合成樹脂製のシートにインクを吐出して画像を記録するインクジェット式のプリンタである。プリンタ５２によりＲＦＩＤタグ１１に印刷される画像等は、商品や店舗等の広告の画像や広告主の企業名を含む。プリンタ５２は、上記の画像のほか、ＲＦＩＤタグ１１により提供される広告毎に固有の識別番号や、広告の有効期間、或いは、ＲＦＩＤタグ１１が新聞１０に貼付される日付等をＲＦＩＤタグ１１に印刷することも可能である。
また、新聞店端末５１にはＲＦＩＤタグ書込装置５３が接続されており、このＲＦＩＤタグ書込装置５３により、ＲＦＩＤタグ１１に広告情報が書き込まれる。ここでＲＦＩＤタグ１１に書き込まれる広告情報は、テキストデータや画像データを含み、商品や店舗等の広告をする情報である。ＲＦＩＤタグ書込装置５３は、広告情報とともに、広告主を示す識別コードや広告の有効期間を示す情報等をＲＦＩＤチップに書き込むことが可能である。
【００１４】
新聞店端末５１は、プリンタ５２によってＲＦＩＤタグ１１に印刷する画像を作成する機能、ＲＦＩＤタグ書込装置５３によりＲＦＩＤタグ１１に広告情報を書き込む機能を備える他、通信回線網５０を介して、広告主が操作する広告主用端末５５との間で各種情報を送受信する機能を備えている。
広告主用端末５５は、企業等の広告主１Ｂにより操作される端末装置であり、ＲＦＩＤタグ１１に印刷される画像データや、ＲＦＩＤタグ１１に書き込む広告情報を、通信回線網５０を介して新聞店端末５１に送信する。
そして、プリンタ５２により印刷された新聞１０は、新聞販売店１Ａにおいてロール紙状の剥離シートから１枚ずつ剥がされて、ＲＦＩＤタグ１１に貼付される。ＲＦＩＤタグ１１が貼付された新聞１０は、配達担当者の手によって購読者宅１Ｃの広告読取装置２に投入される。
【００１５】
広告情報取得装置としての広告読取装置２は、新聞１０や郵便物等の配達物を投入可能な投入口２０Ａと、投入口２０Ａから投入された新聞１０や郵便物等の配達物を収容するケース２０Ｂとを有し、いわゆる郵便受けとして構成される。
広告読取装置２は、購読者宅１Ｃの戸外に独立して設置されるものであってもよいし、購読者宅１Ｃの建屋の壁面や入口に一体に取り付けられていてもよい。
広告読取装置２は無線ＬＡＮアクセスポイント３に接続されており、この無線ＬＡＮアクセスポイント３を介して、他装置および表示装置としての携帯電話機４１、テレビ受像機４２、コンピュータ４３等の各装置と通信可能に構成されている。無線ＬＡＮアクセスポイント３、携帯電話機４１、テレビ受像機４２およびコンピュータ４３の各装置は宅内無線ＬＡＮ４０を構成し、IEEE802.11等の規格に準拠して相互に無線通信を実行する。広告読取装置２は、無線ＬＡＮアクセスポイント３を介して、携帯電話機４１、テレビ受像機４２およびコンピュータ４３に対し、広告情報を配信する機能を有する。広告読取装置２は、宅内無線ＬＡＮ４０を構成する携帯電話機４１、テレビ受像機４２、およびコンピュータ４３とともに、広告情報管理システムを構成する。
【００１６】
図２は、広告読取装置２の機能的構成を示すブロック図である。
広告読取装置２は、広告読取装置２の各部を制御するＣＰＵ２１、ＣＰＵ２１により実行されるプログラム等を不揮発的に記憶するＲＯＭ２２、ＣＰＵ２１により実行されるプログラム等を一時的に記憶するメモリ２３、各種プログラムやデータ等を記憶する記憶部２４、投入口２０Ａへの配達物の投入を検知する投入検知手段としての投入検知部２５、ＲＦＩＤタグとの間で無線通信を行うＲＦＩＤタグリーダ２６、無線ＬＡＮアクセスポイント３に接続される通信制御部２７、および、広告読取装置２の各部に電源を供給する電源部２８を備えて構成される。
【００１７】
ＣＰＵ２１は、ＲＯＭ２２に記憶された基本制御プログラムを読み出して実行することにより、広告読取装置２の各部を制御する。具体的には、ＣＰＵ２１は、投入検知部２５によって投入口２０Ａに新聞１０や郵便物等が投入されたことが検知されると、ＲＦＩＤタグリーダ２６によって、ＲＦＩＤタグの読み取りを実行させる。ここで、投入された配達物に、広告情報を記憶したＲＦＩＤタグが付けられている場合、ＲＦＩＤタグリーダ２６によってＲＦＩＤタグから広告情報が読み取られ、ＣＰＵ２１に出力される。ＣＰＵ２１は、ＲＦＩＤタグリーダ２６から入力された広告情報を取得してメモリ２３に一時的に記憶する。その後、ＣＰＵ２１は、配達物から読み取られた情報を解析してキーワードの検出や分類を決定する処理を行い、これらキーワードや分類を示す情報を、副情報として、広告情報に対応づけて記憶部２４に記憶する。その後、ＣＰＵ２１は、新たな広告情報を取得したことを示すメッセージを、無線ＬＡＮアクセスポイント３から宅内無線ＬＡＮ４０の各装置へ送信する。このメッセージを受信した宅内無線ＬＡＮ４０の各装置から広告読取装置２に対し、広告情報の送信が要求されると、ＣＰＵ２１は、記憶部２４に記憶した広告情報を表示するための広告表示情報を生成して、要求を行った装置へ送信する。
【００１８】
記憶部２４は、磁気的、光学的記録媒体または半導体記憶素子を用いた記憶装置であり、ＣＰＵ２１の制御に従って各種情報を記憶する。記憶部２４は、記憶手段として機能し、ＣＰＵ２１から入力された広告情報と、その広告情報が取得された日時を示す情報、その広告情報に関連するキーワード、その広告情報の分類等を示す情報を含む副情報とを対応づけて記憶する。
投入検知部２５は、例えば、投入口２０Ａに取り付けられたフラップ式の蓋（図示略）の開閉や、投入口２０Ａを通過する配達物の有無を検知する反射型光センサ、透過型光センサ、機械式スイッチ等により構成される。投入検知部２５は、配達物の投入を検知した場合に検知信号を生成してＣＰＵ２１に出力する。
【００１９】
ＲＦＩＤタグリーダ２６は、新聞１０に貼付されるＲＦＩＤタグ１１に対して無線信号を送信し、この無線信号に応答してＲＦＩＤタグ１１から無線送信される信号を受信する。ＲＦＩＤラベル１１は、例えばパッシブ型のＲＦＩＤタグであり、無線信号を受信して、この無線信号によりアンテナに誘起される誘導電圧をもとに動作する。
ＲＦＩＤタグリーダ２６には、投入口２０Ａを通過する配達物（新聞１０を含む）に貼付されたＲＦＩＤタグとの間で無線信号を送受信するため、アンテナ（図示略）が接続されている。このアンテナは、例えば、投入口２０Ａの縁に配置されるループ状のアンテナとしてもよく、この場合は、アンテナのループをくぐるようにＲＦＩＤタグが通過するため、少ない出力で効率よく読み取りを行えるという利点がある。また、ＲＦＩＤタグリーダ２６に接続されるアンテナは、新聞１０を含む配達物が収容されるケース２０Ｂの底面、上面、或いは内側面に配置された平板状のループアンテナとしてもよい。
【００２０】
通信制御部２７は、ＣＰＵ２１の制御のもと、無線ＬＡＮアクセスポイント３を介したデータの送受信を制御する。ＣＰＵ２１が宅内無線ＬＡＮ４０の各装置へ情報を送信する場合、通信制御部２７は、ＣＰＵ２１から入力されたデータを、ＭＡＣアドレスやＩＰアドレス等を含むヘッダを付加したパケットに変換し、このパケットを無線ＬＡＮアクセスポイント３から送信させる。また、通信制御部２７は、宅内無線ＬＡＮ４０のいずれかの装置から無線送信されたパケットが無線ＬＡＮアクセスポイント３によって受信された場合に、この受信されたパケットのペイロード部のデータを取り出してＣＰＵ２１に出力する。
無線ＬＡＮアクセスポイント３は、アンテナを介して広告読取装置２から入力されたパケットを宅内無線ＬＡＮ４０の各装置に対して無線送信するとともに、宅内無線ＬＡＮ４０を構成する装置から送信されたパケットを受信する。
電源部２８は、交流商用電源から直流電源を生成する電源回路、或いは、バッテリを備えており、広告読取装置２を構成する各部および無線ＬＡＮアクセスポイント３に対し、電源を供給する。また、電源部２８は、ＣＰＵ２１の制御に従って、広告読取装置２の特定の機能部に対する電源供給をオン／オフできるものとしてもよい。
【００２１】
図３は、広告読取装置２の動作を示すフローチャートである。
この図３に示す動作において、ＣＰＵ２１は、広告取得手段、広告送信手段、および、副情報生成手段として機能する。
ＣＰＵ２１は、投入検知部２５によって配達物の投入が検知されるまで待機し（ステップＳ１１）、配達物の投入が検知されると（ステップＳ１１；Ｙｅｓ）、ＲＦＩＤタグリーダ２６を動作させてＲＦＩＤタグ１１が有するＲＦＩＤタグの読み取りを試行させる（ステップＳ１２）。ここで、ＣＰＵ２１は、ＲＦＩＤタグリーダ２６が所定周波数の無線信号を発信した後、この無線信号に応答してＲＦＩＤタグからの無線信号をＲＦＩＤタグリーダ２６が受信したか否かをもとに、読み取りに成功したか否かを判別する（ステップＳ１３）。読み取りに失敗した場合（ステップＳ１３；Ｎｏ）、すなわち、投入された配達物が新聞１０ではなく、ＲＦＩＤタグ１１が貼付されていなかった場合には、ＣＰＵ２１はステップＳ１１に戻って待機する。
また、ＲＦＩＤタグからの情報読み取りに成功した場合（ステップＳ１３；Ｙｅｓ）、ＣＰＵ２１は、ＲＦＩＤタグリーダ２６が受信した無線信号から広告情報を取得して、メモリ２３に一時的に記憶する（ステップＳ１４）。
【００２２】
続いて、ＣＰＵ２１は、取得した広告情報に含まれるテキストデータを参照し、キーワード検出処理および分類決定処理を行う（ステップＳ１５）。キーワード検出処理で、ＣＰＵ２１は、取得した広告情報のテキストデータに予め設定されたキーワードが含まれている場合に、そのキーワードを検出する。ここで、予め設定されたキーワードは、記憶部２４に記憶されている。また、ＣＰＵ２１は、分類決定処理において、取得した広告情報のテキストデータに含まれる語句解析を行い、この解析結果と、キーワード検出処理で検出されたキーワード等をもとに、この広告情報の分類を決定する。
その後、ＣＰＵ２１は、メモリ２３に記憶した広告情報と、この広告情報から検出されたキーワードと、この広告情報の分類を示す情報とを、対応づけて記憶部２４に記憶する（ステップＳ１６）。
図４は、記憶部２４に記憶される情報を模式的に示す図である。
この図４に示すように、記憶部２４には、ＲＦＩＤタグリーダ２６により読み取られた広告情報が、図３のステップＳ１５における処理で決定された分類と、この処理で検出されたキーワードと対応づけて記憶される。
【００２３】
ここで、キーワードは広告情報の内容をよく反映する言葉であることが好ましい。例えば、広告情報のテキストデータから「マンション」、「一戸建て」、「不動産」、「売地」等のキーワードが検出された場合、この広告情報が不動産業の広告であることが明らかである。このため、この広告情報は「不動産」に分類され、この分類と、「マンション」、「一戸建て」、「不動産」、「売地」等のキーワードと対応づけて記憶部２４に記憶される。記憶部２４に記憶されたキーワードや分類は、記憶部２４に記憶された広告情報を検索する際の検索キーとして利用できる。例えば、記憶部２４からマンションに関連した広告情報を検索したい場合、キーワード「マンション」を検索キーとすればよい。また、「不動産」に分類された広告情報を全て抽出することも可能である。
このほか、キーワードとしては、商品や店舗、サービスの名称、よく用いられるキャッチフレーズ、「電機」、「電器」、「青果」、「鮮魚」、「寿司」、「イタリア料理」など特定の業種に関連した語句等が挙げられる。
【００２４】
その後、図３のステップＳ１７で、ＣＰＵ２１は、新たな広告情報を取得した旨を示すメッセージを生成して、通信制御部２７および無線ＬＡＮアクセスポイント３を介して、宅内無線ＬＡＮ４０を構成する携帯電話機４１、テレビ受像機４２、コンピュータ４３に送信し、スタンバイ状態に移行して（ステップＳ１８）、携帯電話機４１、テレビ受像機４２またはコンピュータ４３からの広告情報送信要求に対して待機する（ステップＳ１９）。
広告情報の送信要求を受信した場合（ステップＳ１９；Ｙｅｓ）、ＣＰＵ２１は、記憶部２４に記憶した広告情報と、キーワードと、この広告情報の分類を示す情報とを読み出して、広告情報を表示するための広告表示情報を生成し、要求を送信した装置に対して送信する（ステップＳ２０）。この広告表示情報は、広告情報を携帯電話機４１、テレビ受像機４２およびコンピュータ４３において表示するための情報であって、例えば、テキストデータと画像データとを所定のレイアウトで配置したＨＴＭＬ形式やＸＭＬ形式のファイルである。広告表示情報の形態は一定であってもよいし、送信先の機器毎に異なっていてもよい。すなわち、ＣＰＵ２１は、携帯電話機４１に送信する広告表示情報として、テキストデータのみ、或いは、低解像度に変換した画像データとテキストデータのみを含むデータを生成し、テレビ受像機４２に送信する広告表示情報としては、テキストデータと画像データに加え、テキストデータの表示フォント、表示サイズ、表示色等を指定するデータや画像データの表示サイズを規定するデータ等を含むデータを生成してもよい。この場合、各装置の表示能力やデータ編集能力に適した広告表示情報を送信することで、各装置において速やかに、かつ効率よく広告情報を表示できるという利点がある。そして、ＣＰＵ２１は、動作を停止する旨の指示がなければ（ステップＳ２１；Ｎｏ）ステップＳ１９に戻り、指示があれば（ステップＳ２１；Ｙｅｓ）、動作を終了する。
【００２５】
以上のように、本発明を適用した実施形態に係る広告配信システム１によれば、ＲＦＩＤタグ１１が貼付された新聞１０が広告読取装置２の投入口２０Ａに投入されると、ＲＦＩＤタグ１１に書き込まれた広告情報がＲＦＩＤタグ１１から無線送信され、この広告情報がＲＦＩＤタグリーダ２６によって受信されて、記憶部２４に記憶される。そして、ＣＰＵ２１は、記憶部２４に記憶した広告情報を表示するための広告表示情報を生成して、宅内無線ＬＡＮ４０を構成する携帯電話機４１、テレビ受像機４２またはコンピュータ４３へ送信する。これにより、他装置としての携帯電話機４１、テレビ受像機４２およびコンピュータ４３を利用するユーザは、ＲＦＩＤタグ１１の広告情報を速やかに表示させ、閲覧できる。また、広告情報を記憶したＲＦＩＤタグ１１を新聞１０に貼付して配達するだけで、ユーザが容易に閲覧可能な状態で広告情報を配信できるので、広範囲のユーザに対して容易に、確実に広告情報を届けることができる。
【００２６】
また、広告読取装置２は、投入口２０Ａへの配達物の投入を検知する投入検知部２５を備え、投入検知部２５によって配達物の投入が検知された場合に、ＲＦＩＤタグリーダ２６から無線信号を送信してＲＦＩＤタグ１１の読み取りを試行し、この無線信号に応答してＲＦＩＤタグ１１から送信される無線信号を受信する。これにより、投入口２０Ａに何も投入されない間は無線信号の送信を停止できるので、ＲＦＩＤタグ１１の広告情報の読み取りに影響を与えることなく、無線信号の送信頻度を抑制して消費電力量を抑制できる。特に、無線信号を受信することで誘起される電圧をもとに動作するパッシブ型の無線タグを用いる場合には、読み取り動作に伴う無線信号の送信頻度を効果的に抑制し、消費電力量を抑えることができる。
【００２７】
さらに、ＣＰＵ２１は、ＲＦＩＤタグリーダ２６により読み取った新たな広告情報が記憶部２４に記憶された場合に、宅内無線ＬＡＮ４０の各装置に対してメッセージを送信し、このメッセージに応答していずれかの装置から広告情報の送信が要求されると、この要求に応じて広告表示情報を送信するので、携帯電話機４１、テレビ受像機４２或いはコンピュータ４３を使用するユーザがメッセージを見て、広告の閲覧を望んだ場合のみ広告表示情報が送信される。これにより、広告表示情報の送信頻度が無理なく低減され、処理の効率向上を図ることができ、例えば多数の他装置へ広告表示情報を送信する場合には、処理の効率化により大幅な負荷低減と高速化を実現できる。
【００２８】
また、上記構成において、ＣＰＵ２１は、ＲＦＩＤタグリーダ２６により読み取った広告情報の内容に係るキーワードおよび広告情報の分類を示す情報を、広告情報に対応づけて記憶部２４に記憶するので、記憶部２４に記憶された広告情報を分類したり、検索・抽出したりすることが可能となる。このため、取得済みの広告情報の管理が容易になるという利点がある。また、例えば、宅内無線ＬＡＮ４０の各装置に対し、広告表示情報を送信する前にキーワードまたは分類を示す情報を送信すれば、ユーザが、広告情報を見る前に広告情報の内容を知り得て、広告表示情報の送信を要求するか否かを判断できる。この場合、ユーザが広告情報に興味を持たない場合は広告表示情報の送信を要求しないので、広告表示情報の送信回数を抑えることができ、処理の効率化により大幅な負荷低減と高速化を実現できる。
【００２９】
さらにまた、広告読取装置２は、戸別配達される新聞または郵便物を含む前記配達物が投入される新聞受け、或いは郵便受けと呼ばれる物であるから、広告情報をユーザに向けて配信する側は新聞１０にＲＦＩＤタグ１１を付着させて配達させればよく、この新聞１０が投入口２０Ａに投入されれば、ユーザが何ら意識することなく広告情報が読み取られ、携帯電話機４１、テレビ受像機４２またはコンピュータ４３に表示可能となる。このため、ユーザに対して容易に広告情報を配信することができ、ユーザは、広告情報を極めて容易に閲覧できる。
【００３０】
また、新聞１０に付着したＲＦＩＤタグ１１は、回収すれば再利用できる。このため、新聞１０を古紙として収集するとともに、ＲＦＩＤタグ１１を新聞１０と一緒に、或いは新聞１０から剥がした状態で回収すれば、広告情報の配信に伴って消費される原料を大幅に減らすことができ、広告情報の配信に関する環境コストを低下させることが可能となる。特に、新聞１０の発行部数を考慮すれば、新聞１０に貼付されるＲＦＩＤタグ１１の数は膨大であり、これらを新聞販売店１Ａにおいて回収する事業、および、回収されたＲＦＩＤタグ１１を再利用する事業は容易に実現できる。
【００３１】
携帯電話機４１（図１）は、広告読取装置２から送信されたメッセージを受信すると、その表示画面上にメッセージを受信したことを示すアイコン（図示略）を表示する。このアイコンを見たユーザが広告読取装置２にアクセスして、広告情報を要求すると、この要求に応じて広告読取装置２から、例えばＨＴＭＬ形式やＸＭＬ形式の広告表示情報が送信される。
ここで、広告読取装置２から携帯電話機４１に送信されるメッセージは、例えば、携帯電話機４１において送受信可能な電子メールやショートメッセージ等を模したものであってもよいし、携帯電話機４１の無線ＬＡＮクライアントとしての機能により実現される独自のメッセージであってもよい。また、携帯電話機４１が受信したメッセージ中に、広告読取装置２にアクセスするためのＵＲＬ（Uniform Resource Locator）や宅内無線ＬＡＮ４０における無線ＬＡＮアクセスポイント３のＩＰアドレスが記載され、このＵＲＬを選択することで携帯電話機４１から広告読取装置２にアクセスするようにしてもよい。そして、広告読取装置２から携帯電話機４１に送信される広告表示情報は、例えば、テキストデータや画像データを含み、この画像データは携帯電話機４１における表示に適した形態にリサイズされていてもよい。
【００３２】
テレビ受像機４２は、広告読取装置２から送信されたメッセージを受信すると、その画面上にメッセージを受信したことを示すアイコン（図示略）を表示するとともに、画面側方に配設されたスイッチパネル（図示略）のＬＥＤを点灯させる。画面上のアイコンまたはスイッチパネルのＬＥＤを見たユーザが広告読取装置２にアクセスして、広告情報を要求すると、この要求に応じて広告読取装置２から、例えばＨＴＭＬ形式やＸＭＬ形式の広告表示情報が送信される。
ここで、広告読取装置２からテレビ受像機４２に送信されるメッセージは、例えば、携帯電話機４１において送受信可能な電子メールやショートメッセージ等を模したものであってもよいし、テレビ受像機４２の無線ＬＡＮクライアントとしての機能により実現される独自のメッセージであってもよく、或いは、テレビ受像機４２のメニュー画面やＥＰＧ（電子番組表）の一部として表示可能な形態のメッセージとしてもよい。また、テレビ受像機４２が受信したメッセージ中に、広告読取装置２にアクセスするためのＵＲＬや宅内無線ＬＡＮ４０における無線ＬＡＮアクセスポイント３のＩＰアドレスが記載され、このＵＲＬを選択することでテレビ受像機４２から広告読取装置２にアクセスするようにしてもよい。このメッセージの表示および広告情報の要求を行う操作は、テレビ受像機４２のリモコン装置（図示略）により実行可能としてもよい。
【００３３】
コンピュータ４３は、広告読取装置２から送信されたメッセージを受信すると、その表示画面上にメッセージを受信したことを示すアイコン（図示略）を表示する。表示画面上のアイコンを見たユーザが広告読取装置２にアクセスして、広告情報を要求すると、この要求に応じて広告読取装置２から、例えばＨＴＭＬ形式やＸＭＬ形式の広告表示情報が送信される。ここで、広告読取装置２からコンピュータ４３に送信されるメッセージは、例えば、コンピュータ４３において送受信可能な電子メールを模したものであってもよいし、コンピュータ４３の無線ＬＡＮクライアントとしての機能により実現される独自のメッセージであってもよい。また、コンピュータ４３が受信したメッセージ中に、広告読取装置２にアクセスするためのＵＲＬや宅内無線ＬＡＮ４０における無線ＬＡＮアクセスポイント３のＩＰアドレスが記載され、このＵＲＬを選択することでコンピュータ４３から広告読取装置２にアクセスするようにしてもよい。
【００３４】
このように、広告配信システム１においては、携帯電話機４１、テレビ受像機４２、およびコンピュータ４３を使用して、ユーザが、ＲＦＩＤラベル１１に記憶された広告情報を容易に閲覧できる。ここで表示される広告情報は、広告読取装置２から送信される広告表示情報に含まれるテキストデータや画像データである。従って、広告情報を表示するためにインターネットにアクセスする等、外部から情報を新たに取得する必要がない。このため、携帯電話機４１、テレビ受像機４２およびコンピュータ４３においては、速やかに広告情報を表示できるという利点がある。また、インターネット等を介して外部から情報を取得する場合に比べて、外部の通信回線の通信状態等に影響を受けることがなく、常に、速やかに広告情報を閲覧できる。
また、新聞１０に紙製の折り込み広告を挟んで配達することで広告をユーザに届ける場合に比べ、広告の分量に関わらず新聞１０が重くなることがなく配達の労力を軽減でき、紙資源やインクを節約することができ、印刷に要する時間と作業を省略できて広告作成コストが不要になるという利点がある。さらに、ユーザは、折り込みチラシを廃棄する手間が不要になり、広告が多量であっても新聞が重くならないという利点がある。加えて、ＲＦＩＤラベル１１を新聞１０等の定期刊行物に貼付して配達することで、ユーザが特に意識しなくても、ユーザに対して広告情報を定期的に届けることができる。
【００３５】
ここで、広告配信システム１は、広告情報の分類毎に、広告情報を配信する配信先の装置を設定できる構成としてもよい。
すなわち、図５に示すように、広告情報の分類毎に、広告読取装置２からメッセージを送信する送信先が設定され、この設定に係る情報が記憶部２４に記憶された構成としてもよい。この場合、広告読取装置２が新たな広告情報を取得して、広告情報を取得した旨を示すメッセージを送信する際に、ＣＰＵ２１は、広告情報の分類について送信先として設定された装置に対してのみメッセージを送信する。これにより、各装置を主に使用するユーザが興味を持っている分類について、広告情報の新着が知らされるので、ユーザの嗜好を反映して、無駄のない処理を行える。
【００３６】
なお、上述した各実施形態は、あくまでも本発明の一態様を示すものであり、本発明の範囲内で任意に変形および応用が可能である。
例えば、上記の実施形態においては、配達物として新聞１０を用いる場合について説明したが、本発明はこれに限定されるものではなく、配達物としては、新聞や雑誌等の定期または不定期刊行物、郵便物、宅配便など特定の宛先への配達物、および、ポスティングで投函される広告等の広い範囲で各世帯の郵便受け・新聞受けに無差別に投入されるものを含む。また、広告読取装置２は、郵便受けや新聞受けとして機能する形状に限定されず、例えば、ドアの一部に配達物を投入するための孔を設けて、この孔を投入口２０Ａとして用いる構成としてもよい。この場合、投入口２０Ａから投入された配達物が貯留される場所（例えば、ドアの一面に配設されるカゴ）にＲＦＩＤタグリーダ２６やＣＰＵ２１を設けてもよい。また、例えば、広告読取装置２を、それぞれ独立した複数の収容室を備えたロッカーの形態としてもよい。この場合、各収容室の扉を開けて投入され、各々の収容室に収容された配達物に対し、ＲＦＩＤタグリーダ２６によってＲＦＩＤタグ１１の読み取りを試行し、ＲＦＩＤタグ１１が付着している場合は広告情報を読み取ればよい。この場合は、一つのＣＰＵ２１を含む制御ユニットにより、複数の収容室について、配達物の投入の検知、ＲＦＩＤタグ１１の読み取り等を行ってもよい。その他、広告配信システム１の具体的な細部構成については任意に変更可能である。
【図面の簡単な説明】
【００３７】
【図１】実施形態に係る広告配信システムの構成を示す概略図である。
【図２】広告読取装置の機能的構成を示すブロック図である。
【図３】広告読取装置の動作を示すフローチャートである。
【図４】広告読取装置が記憶する広告情報を模式的に示す図である。
【図５】広告読取装置におけるメッセージ送信に係る設定の一例を示す図である。
【符号の説明】
【００３８】
１…広告配信システム、１Ａ…新聞販売店、１Ｂ…広告主、１Ｃ…購読者宅、２…広告読取装置（広告情報取得装置）、３…無線ＬＡＮアクセスポイント、１０…新聞（配達物）、１１…ＲＦＩＤタグ（タグ）、２０Ａ…投入口、２０Ｂ…ケース、２１…ＣＰＵ（広告取得手段、広告送信手段、副情報生成手段）、２２…ＲＯＭ、２３…メモリ、２４…記憶部（記憶手段）、２５…投入検知部（投入検知手段）、２６…ＲＦＩＤタグリーダ、２７…通信制御部、２８…電源部、４０…宅内無線ＬＡＮ、４１…携帯電話機（他装置、表示装置）、４２…テレビ受像機（他装置、表示装置）、４３…コンピュータ（他装置、表示装置）、５０…通信回線網、５１…新聞店端末、５２…プリンタ、５３…ＲＦＩＤタグ書込装置、５５…広告主用端末。
【図１】
2008309819.tif 000003
【図２】
2008309819.tif 000004
【図３】
2008309819.tif 000005
【図４】
2008309819.tif 000006
【図５】
2008309819.tif 000007